(57)【要約】【課題】引戸の任意の箇所に組込可能にしそれによりデザインの自由度を拡大し、外観見栄え向上するとともに衝撃音を極力生じないようにする。【解決手段】引戸８に設けられて、当該引戸と共に引き違い戸を構成しているもう一方の引戸或いは当該引戸が開位置で対向する壁体７との間に指の挟み込み防ぐ指詰め防止具において、引戸８の表面又は裏面に埋め込み状態に設けられるケース１と、ケースに対して引戸と同じ方向に摺動可能に配置されたスライダー２と、スライダーに対して少なくとも一端側が前記引戸の表面又は裏面より出没可能となるよう支持されたストッパー３と、ストッパーが引戸の移動によって前記もう一方の引戸或いは壁体７に当接した際、スライダーの摺動を制動する制動手段４とを備えている。【選択図】図３
2012062648.tif 000002
【特許請求の範囲】
【請求項１】
引戸に設けられて、当該引戸と共に引き違い戸を構成しているもう一方の引戸或いは当該引戸が開位置で対向する壁体との間に指の挟み込み防ぐ指詰め防止具において、
前記引戸の表面又は裏面に埋め込み状態に設けられるケースと、
前記ケースに対して前記引戸と同じ方向に摺動可能に配置されたスライダーと、
前記スライダーに対して少なくとも一端側が前記引戸の表面又は裏面より出没可能となるよう支持されたストッパーと、
前記ストッパーが前記引戸の移動によって前記もう一方の引戸或いは前記壁体に当接した際、前記スライダーの摺動を制動する制動手段
とを備えていることを特徴とする指詰め防止具。
【請求項２】
前記ストッパーは、前記スライダーに枢軸を支点として揺動されることを特徴とする請求項１に記載の指詰め防止具。
【請求項３】
前記ストッパーは、付勢手段の付勢力により前記もう一方の引戸或いは前記壁体の端面に当接可能となるよう付勢されていることを特徴とする請求項１又は２に記載の指詰め防止具。
【請求項４】
前記ストッパーを前記引戸の表面又は裏面より突出する突状態と没入する没状態とを選択的に切り換える切換手段を有していることを特徴とする請求項１から３の何れかに記載の指詰め防止具。
【請求項５】
前記付勢手段はコイルばねであることを特徴とする請求項３に記載の指詰め防止具。
【請求項６】
前記切換手段は、前記スライダーと前記ストッパーとに設けられて互いに係脱する凹部及び凸部からなる係合機構であることを特徴とする請求項４に記載の指詰め防止具。
【請求項７】
前記切換手段は、前記スライダーと前記ストッパーとの間に設けられて、前記ストッパーの没方向への押し操作により当該ストッパーを没状態に保持し、かつ、前記ストッパーの同方向への押し操作により前記保持を解除して突状態に切り換えるカムラッチ機構であることを特徴とする請求項４に記載の指詰め防止具。
【請求項８】
前記制動手段はピストンダンパーであることを特徴とする請求項１から７の何れかに記載の指詰め防止具。
【発明の詳細な説明】
【技術分野】
【０００１】
本発明は、引戸用の指詰め防止具のうち、特に引戸に設けられて当該引戸と共に引き違い戸を構成しているもう一方の引戸或いは当該引戸が開位置で対向する壁体との間に指の挟み込みを防ぐ指詰め防止具に関する。
【背景技術】
【０００２】
対象の指詰め防止構造は、引戸のうち、引き違いタイプつまり当該引戸が別の引戸に重なるようにして開放されたり、片引きタイプつまり当該引戸が開放状態で壁体と平行に配置されるような態様において、特許文献１や２に開示されているごとく当該引戸における堀込み型の引手に組み込まれることがある。例えば、特許文献１の構造では、引戸に埋め込まれた引手に、指を引っ掛ける移動可能な指掛部材と、この指掛部材の動きに連動するストッパ部材とを設け、指掛部材に指を引っ掛けて引戸を開放方向に押し込んだとき、ストッパ部材が引手外へ突出して壁体や別の引戸の端面に当接するようにしたものである。
【０００３】
特許文献２の構造では、引戸の一端に設けられた凹部に装着されるケーシングと、ケーシングに設けられて引手部材の一部を引戸面より突出させるための少なくとも２本の円弧状溝からなるガイド溝と、ケーシングの引戸面に対して出没自在に配設される引手部材と、引手部材をケーシングの引戸面から没入する方向へ付勢するばね部材とを備え、引手部材に手をかけて引戸を移動させた際、引手部材をばね部材の付勢力に抗して引戸面から突出したり、その突出状態に維持可能にしたものである。
【先行技術文献】
【特許文献】
【０００４】
【特許文献１】特開２００３−２３２１６５号公報
【特許文献２】特開２００４−１５０１５３号公報
【発明の概要】
【発明が解決しようとする課題】
【０００５】
上記各特許文献の構造は、引戸を開放する操作に連動してストッパーや引手部材を突出して指の挟み込みを防止するものであるが、次のような観点から未だ満足できない。
（１）従来構造では、引戸が引手を使って開操作されず、例えば引戸を引戸端面を押して開方向へ移動操作されることもあり、そのような場合に指を挟み込む虞がある。
（２）従来構造では、引手兼用であるため引戸への組込箇所が限定され、目立ち易く、しかも外観デザインの自由度もない。
（３）従来構造では、引戸全体の衝撃を一箇所にて受け止めるため打音、衝撃音が大きく、違和感を与えるだけではなく、破損や破壊の虞もあった。なお、特許文献２には、引手部材の当接面に緩衝用クッション材を装着することも考えられているが、クッション材だと摩耗したり変色して外観を損ない易く、安定した制動特性を維持できない。
【０００６】
本願発明は以上のような背景から開発されたものである。その目的とするところは、特に、引戸の任意の箇所に組込可能にしそれによりデザインの自由度を拡大し、外観見栄え向上するとともに衝撃音を極力生じないようにすることにある。
【課題を解決するための手段】
【０００７】
上記目的を達成するため本発明は、各形態を参考にして特定すると、引戸８に設けられて、当該引戸と共に引き違い戸を構成しているもう一方の引戸或いは当該引戸が開位置で対向する壁体７との間に指の挟み込み防ぐ指詰め防止具において、前記引戸の表面又は裏面に埋め込み状態に設けられるケース１と、前記ケースに対して前記引戸と同じ方向に摺動可能に配置されたスライダー２と、前記スライダーに対して少なくとも一端側が前記引戸の表面又は裏面より出没可能となるよう支持されたストッパー３と、前記ストッパーが前記引戸の移動によって前記もう一方の引戸或いは前記壁体に当接した際、前記スライダーの摺動を制動する制動手段４とを備えていることを特徴としている。
【０００８】
以上の本発明は、請求項２〜８で特定したように具体化されることがより好ましい。
(ア)、前記ストッパー３は前記スライダー２に枢軸３５を支点として揺動される構成である（請求項２）。
(イ)、前記ストッパー３は付勢手段Ｓの付勢力により前記もう一方の引戸或いは前記壁体の端面に当接可能となるよう付勢されている構成である（請求項３）。
【０００９】
(ウ)、前記ストッパー３を前記引戸の表面又は裏面より突出する突状態と没入する没状態とを選択的に切り換える切換手段を有している構成である(請求項４）。
(エ)、前記付勢手段はコイルばねＳを用いる構成である（請求項５）。
【００１０】
(オ)、前記切換手段は、前記スライダー２と前記ストッパー３とに設けられて互いに係脱する凹部２７及び凸部３６ａからなる係合機構である（請求項６）。
(カ)、前記切換手段は、前記スライダー２と前記ストッパー３との間に設けられて、前記ストッパーの没方向への押し操作により当該ストッパーを没状態に保持し、かつ、前記ストッパーの同方向への押し操作により前記保持を解除して突状態に切り換えるカムラッチ機構９である（請求項７）。
(キ)、前記制動手段はピストンダンパー４である（請求項８）。
【発明の効果】
【００１１】
請求項１の発明では指詰め防止具として次のような利点を具備できる。
（１）本発明のストッパーは、スライダーに対して一端が当該引戸の表面又は裏面より突出した突状態つまり図６（ａ）の待機状態と、没した没状態つまり図６（ｃ）の収納状態とに切り換えられる。このため、この構造では、使用方法として、ストッパーをその都度、待機状態と収納状態とに切り換える方法と、ストッパーを予め待機状態に切り換えておく方法とを選択できる。勿論、当該引戸は、ストッパーを収納状態に切り換えると図６（ｄ）のごとく全開まで開放できる。
【００１２】
（２）同時に、本発明のストッパーは、ケースに対して摺動可能に配置されたスライダーに支持され、かつ、そのスライダーが制動手段により制動されながら摺動される。このため、この構造では、当該引戸が過大な力で開方向へ移動操作されて、ストッパーが当該引戸（指詰め防止具を取り付けた引戸）の移動によって、引き違いタイプだと当該引戸以外のもう一方の引戸の対応端面、片引タイプだと当該引戸が開状態で対向する壁体の対応端面に強く当接しても、その衝突力が制動手段で制動されたスライダーの摺動により図６（ａ）から同（ｂ）の最終のフルストローク状態に移行される間に吸収され、それにより違和感や破損の虞を確実に解消できる。
（３）同時に、本発明は、図２及び図６の例から明らかなごとく、ケース、スライダー、ストッパーを備えた専用の指詰め防止具として構成されているため、引手兼用の従来構造に比べ部材構成及び外観、引戸の設置箇所の自由度を拡大でき、しかも引手とは無関係に操作するため使い勝手を良好にしたり以下のごとく付加機能も追加し易くなる。
【００１３】
請求項２の発明では、ストッパーがスライダーに枢軸を支点として揺動されるため、ストッパーの安定した出没作動、それにより突状態での突出寸法を少なくできる。
【００１４】
請求項３の発明では、ストッパーが付勢手段により突状態の方向へ付勢されているため、第１形態のごとくストッパーを手動操作により没状態から突状態に切り換えなくてもよく、それにより使い勝手を向上できる。
【００１５】
請求項４の発明では、ストッパーが切換手段により突状態と没状態とに選択的に切り換えられるため、子供の成長、転居、家族構成の変化などに即対応可能となる。一例を詳述すると、子供が小さい段階では指詰め防止作動が常に得られるようストッパーを突状態にしておく、大人になったら指詰め防止作動が不要となるため没状態に切り換える。
【００１６】
請求項５の発明では、付勢手段としてコイルばねを用いているため、第２形態から推察されるごとく必要とした付勢力を的確に付与でき、また設計変更を最小限に抑えて追加できる。
【００１７】
請求項６の発明では、切換手段として互いに係脱する凹部及び凸部からなる係合機構を採用しているため、第２形態の例のごとく部材数を増やすことなく簡易に実施できる。
【００１８】
請求項７の発明では、切換手段として最初の押し操作によりストッパーを没状態に保持し、次の押し操作により前記保持を解除してストッパーを突状態に切り換えるカムラッチ機構（この機構はプッシュ・プッシュ係止機構、プッシュ・オープン機構などとも称されている）を採用しているため、第３形態の例のごとく上記係合機構に比べ操作性に優れている。
【００１９】
請求項８の発明では、制動手段としてピストンダンパーを採用しているため、回転ダンパーのようなラック・ピニオン等の機構が不要であり、小型化を維持しながら確実な制動力を付与できる。
【図面の簡単な説明】
【００２０】
【図１】本発明形態の指詰め防止具を示し、（ａ）はストッパーの待機状態、（ｂ）はストッパーのフルストローク状態、（ｃ）はストッパーの収納状態を示している。
【図２】上記指詰め防止具を分解した概略構成図である。
【図３】（ａ）はストッパーの待機状態での断面図及びイメージ図、（ｂ）はストッパーのフルストローク状態での断面図である。
【図４】（ａ）はストッパーの収納状態での断面図及びイメージ図、（ｂ）は（ａ）からストッパーを初期位置に移動した態様での断面図である。
【図５】引戸への適用例を示す模式図で、（ａ）は引戸の全閉状態での図、（ｂ）は引戸を全開の少し手前まで移動した状態での図、（ｂ）は引戸の全開状態での図である。
【図６】指詰め防止具の主作動を示す模式図で、（ａ）はストッパーが壁体の端面に当たった状態での図、（ｂ）はストッパーのフルストローク状態へ移行した状態での図、（ｃ）はストッパーの収納状態での図、（ｄ）は引戸の全閉状態での図である。
【図７】第２形態を示し、（ａ）はスライダー及びストッパーの関係図、（ｂ）は図３（ａ）に対応させた図、（ｃ）は図４（ｂ）に対応させた図である。
【図８】第３形態を示し、（ａ）はスライダー及びストッパーの関係図、（ｂ）は図３（ａ）に対応させた図、（ｃ）は図４（ｂ）に対応させた図である。
【発明を実施するための形態】
【００２１】
以下、本発明の形態について添付図面を参照しながら説明する。この説明では、図１〜６に示される第１形態、その使用例、作動、図７に示される第２形態、図８に示される第３形態の順に詳述する。
【００２２】
（第１形態）この指詰め防止具５は、引戸８の両側面である表面又は裏面に埋め込み状態に設けられるケース１と、ケース１に摺動可能に配置されたスライダー２と、スライダーに揺動ないしは回動可能に支持されて引戸８の表面又は裏面より出没されるストッパー３と、スライダー２の摺動を制動する制動手段４とを備えている。このうち、ケース１、スライダー２、ストッパー３は樹脂成形品であるが、材質は樹脂以外でも差し支えない。制動手段４は公知のピストンダンパーが用いられている。但し、作動的にはピストンダンパーに限られず、例えば回転式ダンパーなどでも可能である。
【００２３】
ケース１は、取付板部１０及び取付板部１０の下面に一体化した筒部１３からなり、全体が細長い偏平状の容器状をなしている。大きさは、対象の引戸８の厚さ内に余裕を持って収まる寸法からなる。取付板部１０は、上下端となる両端部に設けられた取付孔１０ａと、筒部１３の内部１１に連通してストッパー３を出没する細長い矩形状の窓１２とを有している。筒部１３は、窓１２よりかなり大きく、かつ細長い矩形ないしは楕円形状をなし、突出端側の筒開口がカバー１５により閉じられる。このため、筒部１３の突出端には、両側に対向してそれぞれ複数の係止孔１４が設けられている。
【００２４】
カバー１５は、内面の長手方向に設けられて制動手段４であるピストンダンパーを構成しているシリンダー（ピストン本体と同じ）４０をスライダー２の対応部との間で摺動自在に支持する溝状の受部１６と、受部１６の一端側に突設されてピストンダンパーを構成しているロッド（ピストンロッドと同じ）４１の先端を装着する係合穴付きのリブ１７と、両側部に設けられて係止孔１４に対応して両側部に複数設けられている爪１８とを有している。
【００２５】
以上のカバー１５は、筒部１３に対し複数の爪１８及び係止孔１４の係合により装着される。その際は、スライダー２及びストッパー３が筒部１３に組み込まれるとともに、制動手段４を構成しているシリンダー４０がスライダー２の対応部に配置されたり、ロッド４１の突出端がリブ１７に連結操作される。
【００２６】
ここで、制動手段４は、公知のピストンダンパー（例えば、特開２００６−２９５６４号公報記載のもの等）であればよく、シリンダー４０及び該シリンダー４０に緩やかに出没されるロッド４１を有している。用い方は、形態例のごとくシリンダー４０が固定されているロッド４１に対し緩やかに駆動したり、図示しないがロッド４１が固定されているシリンダー４０に対し緩やかに駆動する構成であればよい。シリンダー４０及びロッド４１には、細部を省略したが、例えばシリンダー４０の後端外周に首状係止溝などが形成されていたり、ロッド４１の先端外周に首状係止溝などが形成されている。
【００２７】
スライダー２は、筒部内部１１を長手方向に摺動可能な大きさの略筒形の小ブロックとなっている。形状は、奥側の内部２０に比べて手前側の開口２１が小さな矩形状となっている。内部２０は、シリンダー４０を配置する形状となっており、一端側に設けられた切欠部２０ａから制動手段４のロッド４１を外へ導出可能となっている。
【００２８】
内部２０と開口２１との間には所定形状の仕切壁２１ａが設けられている。そして、この構造では、シリンダー４０が内部２０に配置され、内部２０のうち切欠部２０ａと反対側及び仕切壁２１ａを利用して装着可能となっている。開口２１はストッパー３に対応した矩形状からなる。開口２１を区画している対向側面には、軸孔２５が切欠部２０ａと同じ端側にあって同軸線上に貫通形成されている。開口２１を区画している軸孔２５側の内端面２３は、手前側から内部２０に向かって開口面積を狭める向きの傾斜面、ないしは手前側に向かって拡大する傾斜面に形成されており、後述するストッパー３の最大突出角を規制可能となっている。
【００２９】
ストッパー３は、スライダー側開口２１に余裕を持って配置される大きさの概略矩形片状からなる。すなわち、ストッパー３は、開口２１の上下に配置される上面３０及び下面３１、両側面３２、先端面３３及び基端面３４により区画されて、両側面３２の基端側に軸部３５を突出形成している。
【００３０】
（使用例）図５及び図６は、以上の指詰め防止具５を片引きタイプの引戸８に付設した一例を示している。符号６は引戸用の枠部材、符号７は引戸８が開放状態で対向する壁体を示している。６ａは上枠部、６ｂは縦枠部、６ｃは下枠部に設けられたスライド用レール又は溝である。上枠部６ａには図示を省いたが、レール又は溝６ｃと対向したスライド用レール又は溝が設けられている。そして、引戸８は、表面又は裏面にあって、一端側の上下略中間部に設けられた引手８ａと、一端側の下側に設けられた指詰め防止具５とを有している。引手８ａ及び指詰め防止具５は、何れもが表面又は裏面に設けられた凹部に収容された状態に付設されている。このうち、指詰め防止具５は、図６（ａ）のごとくケース１が凹部に入れられた後、取付板部１０に設けられた２箇所の取付孔１０ａから挿入されるねじ１９を介して固定される。固定状態では、取付板部１０が引戸８の表面又は裏面と面一となっている。壁体７は、その露出した端面７ａが引戸６の全開状態で、引戸６の対応端面とほぼ重なる。
【００３１】
（作動）以上の指詰め防止具５において、ストッパー３は、両側の軸部３５が開口側の対応軸孔２５に嵌合することにより、開口２１に回動可能に支持されている。この組立状態において、ストッパー３は、図４に示されるごとく全体が開口２１内に収容された没状態（収納状態と同じ）と、図３に示されるごとく例えば同図のごとく指などで基端側を押し操作により軸部３５を支点として回動操作されて先端側を開口２１及び窓１２より外へ突出された突状態（待機状態と同じ）とに切り換えられる。この場合、ストッパー３は、基端面３４が開口側の傾斜面となっている内端面２３に当接することで最大突出角が規制される。
【００３２】
なお、ストッパー３は、図６の使用状態において、水平方向に回動される関係で、図３（ａ）のごとく没から突状態に手動により切り換えた後、押し力を解放してもその突状態に保たれる。この点は、ストッパー３が図３（ｂ）のごとく突状態から矢印方向に押されて没状態に切り換えたときも同じ。
【００３３】
また、ストッパー３は、この使用例において、スライダー２の摺動により図３（ａ）及び図４（ｂ）のごとく最大まで右側に移行された初期位置と、図３（ｂ）及び図４（ａ）のごとく最大まで左側に移行された規制位置とに制動手段４の制動を受けながら摺動される。初期位置では、制動手段４を構成しているロッド４１がシリンダー４０から大きく突出されている。
【００３４】
そして、ストッパー３は、図４の没状態で同（ｂ）のごとく初期位置まで摺動操作された後、図３（ａ）の突状態に切り換えると、指詰め防止作動が得られる待機状態となる。すなわち、同図の待機状態において、ストッパー３は、不図示の引戸が開方向へ移動されると、引き違いの場合は当該引戸以外のもう一方の引戸の対応端面、片引きの場合は当該引戸が開放状態で対向する壁体９の対応端面９ａに当接した後、同（ｂ）の矢印方向にスライダー２を介して摺動されて指詰め防止作動を発揮する態様となる。その際は、制動手段４で制動されたスライダー２の摺動により、前記壁面９などから受ける衝突力が図６（ａ）から同（ｂ）の最終のフルストローク状態に移行される間に吸収されることになる。このため、この構造では、指詰めを確実に防ぐことができ、しかも衝突音を確実に吸収して異音発生の虞を解消でき、耐久性に優れたものとなる。
【００３５】
（第２形態）図７の形態では、第１形態に比べ、ストッパー３が付勢手段としてのコイルばねＳにより常に突状態の方向へ付勢されている点、ストッパー３が互いに係脱する凸部２７及び凹部３６からなる係合機構により没状態ないしは収納状態に保持される点で変更されている。この説明では、上記第１形態と同一部材及び作用的に同じ部位に同じ符号を付し、変更した構成についてだけ詳述する。
【００３６】
コイルばねＳは、スライダー２に支持された状態でストッパー３を突方向へ付勢している。詳述すると、スライダー２には、内部２０と開口２１との間に所定形状の仕切壁２１ｂが設けられている。軸２８はその仕切壁２１ｂに突設されている。これに対し、ストッパー３の下面３１には、コイルばねＳの先端を受け止める凹所３１ａが設けられている。そして、この構造では、コイルばねＳが軸２８に支持され、かつばね先端を凹所３１ａに嵌合した状態に組み込まれて、ストッパー３を常に突方向へ付勢している。
【００３７】
上記した係合機構は、凸部２７をスライダー２に設け、凹部３６をストッパー３に設けている。すなわち、凸部２７は、スライダー側開口２１の対向内面にそれぞれ設けられている。ストッパーの両側面３２にあって、凹部３６は凸部２７と対応する箇所に設けられ、またその手前には浅い溝状のガイド部３６ａが設けられている。このため、凸部２７は、図７（ｃ）のごとくストッパー３がコイルばねＳの付勢力に抗して突状態から矢印の没方向に押されると、ガイド部３６ａから凹部３６に弾性的に係合して、ストッパー３を没状態に保持する。この保持は、ストッパー３の上面３０の基端側に設けられた窪み部３０ａを指などで押し操作することで解除される。ストッパー３はその解除によりコイルばねＳの付勢力により突状態に切り換えられることになる。
【００３８】
なお、以上の係合機構としては、凸部をストッパー３に設け、それに係脱する凹部をスライダーに設けるようにしてもよい。更に、凹凸係合に代えて、ストッパー３が板ばねによる圧接力で没状態に保持されるようにしてもよい。
【００３９】
（第３形態）図８の形態では、第２形態の切換手段を変更した例である。この切換手段は、最初の押し操作によりストッパー３を没状態に保持し、次の押し操作により前記保持を解除してストッパー３をコイルばねＳの付勢力にて突状態に切り換えるカムラッチ機構９からなる。このカムラッチ機構９は、ストッパー３に設けられたハート形カム溝３８及びスライダー２に設けられたトレースピン２９からなる公知のプッシュ・プッシュ係止機構である。ここで、トレースピン２９は、略コ形状をなし、基端がスライダー２の外側面の対応部に揺動可能に枢支され、先端がスライダー側面に設けられた窓孔２９を通して開口２１内に突出されて、かつスライダー外側面に取り付けられた板ばね４６により付勢されている。すなわち、板ばね４６は、トレースピン２９の対応部を軽く押さえ付けた状態でトレース部となる先端を開口２１内へ押圧している。
【００４０】
カム溝３８は、図８（ａ）の拡大図のごとくスライダーの対応側面３２に設けられて、凸でハート形の島３８ａの周囲に形成されており、下面側に位置している導入溝ａと、導入溝ａから左上面側へ延びている住路溝ｂと、右側に位置して上下に別れている係止用誘導溝ｃ及び解除用誘導溝ｅと、誘導溝ｃ，ｅの間で少し左側に位置した凹状係止溝ｄと、誘導溝ｅから導入溝ａ側へ延びる復帰溝ｆなどで構成されている。
【００４１】
以上のカムラッチ機構９では、ストッパー３が図８（ｂ）のごとく突状態において、トレースピン２９は導入溝ａから外れている。この状態から、ストッパー３をコイルばねＳの付勢力に抗し開口２１内へ回動しながら押し込んで行くと、トレースピン２９は導入溝ａを進んで往路溝ｂに入り、更に係止用誘導溝ｃを進む。そして、トレースピン２９がその誘導溝ｃの奥壁に当接し、それ以上、ストッパー３を押し込めなくなったとき、ストッパー３から手を離して押し力を解放する。すると、ストッパー３は、コイルばねＳの付勢力（復元力）で突方向へ少し回動し、これに伴ってトレースピン２９が誘導溝ｃを逆進するが、段差によって往路溝ｂへは入らず一段低くなった係止部ｄに入るため該係止部ｄに落ち込んで係止される。これにより、ストッパー３は、図８（ｃ）のごとくコイルばねＳの付勢力に抗して開口２１内に保持されて没状態を維持する。
【００４２】
ストッパー３を突状態に切り換える場合は、ストッパー３を手で外から押した後、手を離す。この過程において、押し込み時はトレースピン２９が係止部ｄを逆進できないので、隣接した解除用誘導溝ｅに進む。手を離して押し力が解かれると、ストッパー３はコイルばねＳの付勢力で突方向へ回動され、これに伴いトレースピン２９は誘導溝ｅを少し逆進し、復帰溝ｆを経て導入溝ａへと進み、導入溝ａから外れる。これにより、ストッパー３は、図８（ｂ）のごとく突状態に切り換えられる。
【００４３】
なお、本発明の指詰め防止具は、請求項で特定される構成を備えておればよく、細部は各形態を参考にして変更したり展開可能なものである。その例として、付勢手段としてコイルばねに代えて板ばねや樹脂ばねなどを使用したり、制動手段として回転ダンパーを使用したり、更にストッパーを前後動して突状態と没状態とに切り換えることである。
【符号の説明】
【００４４】
１・・・ケース（１０は取付板部、１１は内部、１２は窓、１３は筒部、１５はカバー）
２・・・スライダー（２０は内部、２０ａは切欠部、２１は手前側の開口、２５は軸孔）
３・・・ストッパー（３５は軸部）
４・・・制動手段（４０はシリンダー、４１はロッド）
５・・・指詰め防止具
６・・・引戸用枠部材
７・・・壁体（７ａは端面）
８・・・引戸（８ａは引手）
９・・・切換手段（２９はトレースピン、４６は板ばね、３８はハートカム溝）
２７・・・凸部（切換手段）
３６・・・凹部（切換手段、３６ａはガイド部）
Ｓ・・・コイルばね（付勢手段）
【図１】
2012062648.tif 000003
【図２】
2012062648.tif 000004
【図３】
2012062648.tif 000005
【図４】
2012062648.tif 000006
【図５】
2012062648.tif 000007
【図６】
2012062648.tif 000008
【図７】
2012062648.tif 000009
【図８】
2012062648.tif 000010